(57)【要約】      （修正有）【課題】利便性を向上させると共に、省スペース化を図り、エントランスホール内の景観が整然とした印象を与えることができる集合住宅の玄関設備を提供する。【解決手段】集合住宅の内部に通じる出入口に面したエントランスホールに設置され、略直方体の箱状に形成された少なくとも１つの郵便箱２２と、略直方体の箱状に形成された少なくとも１つの荷物箱２４と、略直方体の箱状に形成された箱体部の前面にインターホン装置が設けられたインターホン部２６と、を備え、郵便箱２２と荷物箱２４とインターホン部２６が、互いに一体的に組み付けられて形成された。【選択図】図１
0003216323.tif 000002
【実用新案登録請求の範囲】
【請求項１】
集合住宅の内部に通じる出入口に面したエントランスホールに設置され、
略直方体の箱状に形成された少なくとも１つの郵便箱と、
略直方体の箱状に形成された少なくとも１つの荷物箱と、
略直方体の箱状に形成された箱体部の前面にインターホン装置が設けられたインターホン部と、を備え、
前記郵便箱と前記荷物箱と前記インターホン部が、互いに一体的に組み付けられて形成された
ことを特徴とする集合住宅の玄関設備。
【請求項２】
前記郵便箱と前記荷物箱と前記インターホン部が、上下方向及び／又は左右方向に隣り合うように並べられて配置されると共に、
前記郵便箱と前記荷物箱と前記インターホン部のそれぞれの前面が、略同一の平面上に位置するように配置された
ことを特徴とする請求項１に記載の集合住宅の玄関設備。
【請求項３】
前記荷物箱と前記インターホン部のそれぞれの前面の左右方向の幅寸法は、前記郵便箱の前面の左右方向の幅寸法と略同一に形成されると共に、
前記荷物箱と前記インターホン部のそれぞれの前面の上下方向の高さ寸法は、前記郵便箱の前面の上下方向の高さ寸法の整数倍の高さ寸法となるように形成された
ことを特徴とする請求項１又は２に記載の集合住宅の玄関設備。
【請求項４】
前記インターホン装置は押しボタン方式の操作部を備えた
ことを特徴とする請求項１ないし３のいずれかに記載の集合住宅の玄関設備。
【請求項５】
前記インターホン装置はタッチパネル方式の操作部を備えた
ことを特徴とする請求項１ないし３のいずれかに記載の集合住宅の玄関設備。
【考案の詳細な説明】
【技術分野】
【０００１】
本考案は、マンション等の集合住宅の内部に通じる出入口に面したエントランスホールに設置され、集合住宅の入居者や訪問者等が配達された郵便物や荷物の受け渡し等に利用するための、集合住宅の玄関設備に関するものである。
【背景技術】
【０００２】
マンション等の集合住宅のエントランスホールには、集合住宅の入居者や訪問者等が利用するために様々な玄関設備が設置されていた。
【０００３】
集合住宅のエントランスホールに設置される玄関設備としては、集合住宅の入居者宛に配達された郵便物やチラシ等が投函される郵便受けや、宅配サービス等により入居者宛に配達された荷物を、入居者が不在の際に一時的に保管するために利用される宅配ボックス等が知られていた。
【０００４】
また、他の玄関設備としては、オートロックシステムが導入された集合住宅のエントランスホールに設置され、エントランスホールにいる訪問者が住戸内の入居者を呼び出すために利用するインターホン装置も知られていた（例えば特許文献１の図５）。
【０００５】
図９及び図１０は、従来の玄関設備のひとつである郵便受けについて説明するために参照する図である。
【０００６】
従来の郵便受け２は、図９に示すように、複数の箱形状の郵便箱４が図中上下・左右両方向に互いに隣り合うように並んで配置され、上下又は左右の両方向に互いに隣り合う郵便箱４の互いに対向する上下面同士又は左右側面同士が互いに固定されることにより構成されていた。
【０００７】
それぞれの郵便箱４は、図９及び図１０に示すように、前面が開放された中空の略直方体の箱状に形成された箱体部４ａと、この箱体部４ａの前面に開閉可能に設けられた扉部材４ｂを備え、この扉部材４ｂの上部には郵便物等を投函するときに回動して開く投函部４ｃが形成されていた。
【０００８】
このような複数の郵便箱４がその上下・左右両方向に並んで構成される郵便受け２は、図１４に示すように、その背面がエントランスホールの壁面の所定の位置に固定されることにより設置されていた。
【０００９】
このような郵便受け２は、郵便物を配達する業者が、配達先である入居者の郵便箱４の扉部材４ｂに設けられた投函部４ｃから郵便物を郵便箱４の内部へ投函し、郵便物を受け取る入居者が、自身の郵便箱４の扉部材４ｂを開放して郵便箱４の内部の郵便物を取り出すようにして利用されていた。
【００１０】
図１１及び図１２は、従来の玄関設備のひとつである宅配ボックスについて説明するために参照する図である。
【００１１】
従来の宅配ボックス６は、図１１に示すように、大きさの異なる複数の箱形状の荷物箱８が図中上下・左右両方向に互いに隣り合うように並んで配置され、上下又は左右の両方向に互いに隣り合う荷物箱８の互いに対向する上下面同士、又は左右側面同士が互いに固定されることにより構成されていた。
【００１２】
それぞれの荷物箱８は、図１１及び図１２に示すように、前面が開放された中空の略直方体の箱状に形成された箱体部８ａと、この箱体部８ａの前面に開閉可能に設けられた扉部材８ｂを備え、この扉部材８ｂには扉部材８ｂが開かないように施錠するダイヤル錠８ｃが設けられていた。
【００１３】
このダイヤル錠８ｃは、荷物箱８の扉部材８ｂを施錠する際に任意の番号を設定して施錠するようになっており、扉部材８ｂを開くように開錠する際には、施錠する際に設定した番号を使用して開錠するようになっていた。
【００１４】
このような複数の荷物箱８がその上下・左右両方向に並んで構成される宅配ボックス６は、図１４に示すように、エントランスホールの床面に設けられた所定の高さを有する枠状の高さ部材９の上に載置されて固定されると共に、その背面がエントランスホールの壁面の、郵便受け２からその壁面に沿って離れた別の位置に固定されることにより設置されていた。
【００１５】
このような宅配ボックス６は、荷物を配達する業者が、荷物箱８の内部に荷物を収納してから任意の番号を設定して荷物箱８の扉部材８ｂを施錠し、その番号と荷物箱８の番号を記載した伝票を荷物の配達先である入居者の郵便受けに投函する。そして、荷物を受け取る入居者が、郵便受けから出した伝票に記載された番号を確認して荷物箱８の扉部材８ｂを開錠し、荷物箱８の内部の荷物を取り出すようにして利用されていた。
【００１６】
図１３は、従来の玄関設備のひとつであるインターホン装置について説明するために参照する図である。
【００１７】
従来のインターホン装置１０は、図１３に示すように、その装置を操作するための操作部１２と、エントランスホールと各住戸の間で映像や音声をやり取りするためのインターフェース部１４と、エントランスホールに面した扉１８（図１４参照）を開くための開扉部１６を備えて構成されていた。
【００１８】
操作部１２は、部屋番号の入力を行う入力部１２ａと、入力された部屋番号を表示する表示部１２ｂと、入力された部屋番号に対応する住戸の入居者への呼び出しを行う呼出部１２ｃを備えていた。
【００１９】
インターフェース部１４は、エントランスホールの訪問者の映像を撮影するカメラ１４ａと、エントランスホールの訪問者の音声を拾うマイク１４ｂ、及びエントランスホールの訪問者へ住戸の入居者の音声を伝えるスピーカ１４ｃを備えていた。
【００２０】
開扉部１６は、近づけられたＩＣタグの情報を電波や電磁波を用いて非接触で読み取ることのできるリーダ部１６ａを備えていた。
【００２１】
このリーダ部１６ａに対して、所定のＩＣタグが埋め込まれたカードやＵＳＢ等の認証トークンやカードキー等を近づけることにより、リーダ部１６ａがＩＣタグの情報を読み取って、エントランスホールに面した扉１８（図１４参照）が開くようになっていた。
【００２２】
このようなインターホン装置１０が、図１４に示すように、集合住宅のエントランスホールに面した扉１８の近くの壁面に埋め込まれるように設置されていた。
【００２３】
そして、このようなインターホン装置１０と電気的な配線により接続された室内装置（図示せず）が、集合住宅の各住戸内に設置されていた。
【００２４】
このようなインターホン装置１０は、エントランスホールにいる訪問者が、操作部１２を操作して訪問先である住戸の室内装置を呼び出し、インターフェース部１４を介して住戸内の入居者と会話をやり取りすることにより、住戸内の入居者が必要に応じてエントランスホールに面した扉１８を開けて、訪問者を住宅内に招き入れるようにして利用されていた。
【００２５】
そして、外から帰宅した入居者自身が集合住宅内に入る際には、入居者自身が所有する認証トークンやカードキー等を開扉部１６のリーダ部１６ａにかざすことにより、エントランスホールに面した扉１８を開けるようにして利用されていた。
【先行技術文献】
【特許文献】
【００２６】
【特許文献１】特開平５−２７６２５７号公報
【考案の概要】
【考案が解決しようとする課題】
【００２７】
しかしながら、上述したような従来の玄関設備が集合住宅のエントランスホールに設置された場合、図１４に示すように、郵便受け２と宅配ボックス６とインターホン装置１０のそれぞれが、エントランスホール内の互いに離れた位置に設置されることが多かった。
【００２８】
すなわち、電気的な配線が必要となるインターホン装置１０は、配線用の空間を考慮して設置場所を決定する必要があるため、電気的な配線が不要な郵便受け２や宅配ボックス６に比べて、設置場所の自由度は低くなっていた。
【００２９】
また、インターホン装置１０の設置工事には電気的な知識が必要となるため、郵便受け２や宅配ボックス６の設置工事とは別の時期に、別の専門の作業者がインターホン装置１０の設置工事を行うことが多くなっていた。
【００３０】
その結果として、図１４に示すように、インターホン装置１０が、郵便受け２や宅配ボックス６から離れて設置されることが多かった。
【００３１】
そして、郵便受け２と宅配ボックス６とインターホン装置１０のそれぞれが、エントランスホール内の互いに離れた位置に設置されることにより、集合住宅の入居者や訪問者等がこれらの玄関設備を利用する際に、エントランスホール内に設置されたこれらの玄関設備の、郵便受け２と宅配ボックス６とインターホン装置１０の間の移動を頻繁に繰り返すことになるため、これらの玄関設備の利便性が低下してしまうという問題があった。
【００３２】
また、これらの郵便受け２と宅配ボックス６とインターホン装置１０の玄関設備がエントランスホール内の各所に互いに離れて設置されるため、エントランスホールの広さによっては、これらの玄関設備を設置するためのスペースが不足するおそれがあるという問題もあった。
【００３３】
また、これらの郵便受け２と宅配ボックス６とインターホン装置１０の玄関設備がエントランスホール内に互いに離れて設置されることにより、集合住宅のエントランスホールのデザイン的な統一性が損なわれ、エントランスホール内の景観が雑然とした印象を与えてしまうという問題もあった。
【００３４】
そこで本考案は、上記問題点に鑑みて、利便性を向上させると共に、省スペース化を図り、エントランスホール内の景観が整然とした印象を与えることができる集合住宅の玄関設備を提供することを課題とするものである。
【課題を解決するための手段】
【００３５】
上記課題を解決するために、本考案による集合住宅の玄関設備は、
集合住宅の内部に通じる出入口に面したエントランスホールに設置され、
略直方体の箱状に形成された少なくとも１つの郵便箱と、
略直方体の箱状に形成された少なくとも１つの荷物箱と、
略直方体の箱状に形成された箱体部の前面にインターホン装置が設けられたインターホン部と、を備え、
前記郵便箱と前記荷物箱と前記インターホン部が、互いに一体的に組み付けられて形成された
ことを特徴とするものである。
【００３６】
また、本考案による集合住宅の玄関設備は、
前記郵便箱と前記荷物箱と前記インターホン部が、上下方向及び／又は左右方向に隣り合うように並べられて配置されると共に、
前記郵便箱と前記荷物箱と前記インターホン部のそれぞれの前面が、略同一の平面上に位置するように配置された
ことを特徴とするものである。
【００３７】
また、本考案による集合住宅の玄関設備は、
前記荷物箱と前記インターホン部のそれぞれの前面の左右方向の幅寸法は、前記郵便箱の前面の左右方向の幅寸法と略同一に形成されると共に、
前記荷物箱と前記インターホン部のそれぞれの前面の上下方向の高さ寸法は、前記郵便箱の前面の上下方向の高さ寸法の整数倍の高さ寸法となるように形成された
ことを特徴とするものである。
【００３８】
また、本考案による集合住宅の玄関設備は、
前記インターホン装置は押しボタン方式の操作部を備えた
ことを特徴とするものである。
【００３９】
また、本考案による集合住宅の玄関設備は、
前記インターホン装置はタッチパネル方式の操作部を備えた
ことを特徴とするものである。
【考案の効果】
【００４０】
このような本考案による集合住宅の玄関設備によれば、
集合住宅の内部に通じる出入口に面したエントランスホールに設置され、
略直方体の箱状に形成された少なくとも１つの郵便箱と、
略直方体の箱状に形成された少なくとも１つの荷物箱と、
略直方体の箱状に形成された箱体部の前面にインターホン装置が設けられたインターホン部と、を備え、
前記郵便箱と前記荷物箱と前記インターホン部が、互いに一体的に組み付けられて形成されたことにより、
利便性を向上させると共に、省スペース化を図り、エントランスホール内の景観が整然とした印象を与えることができる。
【図面の簡単な説明】
【００４１】
【図１】本考案の一実施の形態に係る集合住宅の玄関設備２０を示す正面図である。
【図２】図１に示す集合住宅の玄関設備２０を示す図であって、図２（ａ）はその側面図であり、図２（ｂ）はその平面図である。
【図３】集合住宅の玄関設備２０を構成する郵便箱２２を示す図であって、図３（ａ）はその正面図であり、図３（ｂ）はその側面図である。
【図４】集合住宅の玄関設備２０を構成する荷物箱２４を示す図であって、図４（ａ）はその正面図であり、図４（ｂ）はその側面図である。
【図５】集合住宅の玄関設備２０を構成するインターホン部２６を示す正面図である。
【図６】図１に示す集合住宅の玄関設備２０を集合住宅のエントランスホールに設置する方法を説明するための正面図である。
【図７】集合住宅の玄関設備２０を集合住宅のエントランスホールに設置する方法を説明するための図であって、図７（ａ）はその側面図であって、図７（ｂ）はその平面図である。
【図８】集合住宅の玄関設備２０の設置方法を説明するための図であって、集合住宅の玄関設備２０が設置された集合住宅のエントランスホールの概略透視図である。
【図９】従来の郵便受け２を示す正面図である。
【図１０】図９に示す従来の郵便受け２を示す図であって、図１０（ａ）はその側面図であり、図１０（ｂ）はその平面図である。
【図１１】従来の宅配ボックス６を示す正面図である。
【図１２】図１１に示す従来の宅配ボックス６を示す図であって、図１２（ａ）はその側面図であり、図１２（ｂ）はその平面図である。
【図１３】従来のインターホン装置１０を示す正面図である。
【図１４】従来の玄関設備の設置方法を説明するための図であって、従来の玄関設備が設置された集合住宅のエントランスホールの概略透視図である。
【考案を実施するための形態】
【００４２】
以下、本考案による集合住宅の玄関設備を実施するための形態について、図面に基づいて具体的に説明する。
【００４３】
図１ないし図８は、本考案の一実施の形態に係る集合住宅の玄関設備２０について説明するために参照する図である。なお、図９ないし図１４に示した従来の玄関設備と同様の部分には、一部を除き同じ符号を付して説明するものとする。
【００４４】
本実施の形態に係る集合住宅の玄関設備２０は、複数の郵便箱２２と、複数の荷物箱２４と、インターホン部２６とを備え、これらが、図１に示すように、図中上下・左右両方向に互いに隣り合うように並んで配置されている。
【００４５】
それぞれの郵便箱２２は、図３に示すように、前面が開放された中空の略直方体の箱状に形成された箱体部２２ａと、この箱体部２２ａの前面に開閉可能に設けられた扉部材２２ｂを備え、この扉部材２２ｂの上部には、郵便物等を投函するときに回動して開く投函部２２ｃが形成されている。そして郵便箱２２には、入居者の名前等を表示するための表示部２２ｄや、扉部材２２ｂが開かないように施錠するロック部２２ｅが設けられている。
【００４６】
また、それぞれの荷物箱２４は、図４に示すように、前面が開放された中空の略直方体の箱状に形成された箱体部２４ａと、この箱体部２４ａの前面に開閉可能に設けられた扉部材２４ｂを備え、この扉部材２４ｂには、扉部材２４ｂが開かないように施錠するダイヤル錠２４ｃや、箱体部２４ａの内部が確認できるように透明の部材で形成された複数の確認窓２４ｄが設けられている。
【００４７】
荷物箱２４は、図１に示すように、異なる大きさの箱体部２４ａを有するいくつかの種類が設けられており、荷物を配達する者が、配達された荷物の大きさによって利用する荷物箱２４を選択できるようになっている。
【００４８】
図１に示す集合住宅の玄関設備２０においては、荷物箱２４は、その高さ方向（図中上下方向）の寸法によって、郵便箱２２の高さ５個分の高さ寸法の荷物箱（大）２５Ａと、郵便箱２２の高さ３個分の高さ寸法の荷物箱（中）２５Ｂと、郵便箱２２の高さ２個分の高さ寸法の荷物箱（小）２５Ｃの、３種類の大きさものが備えられている。
【００４９】
また、これらの荷物箱２４は全て、図１及び図２（ａ）に示すように、その幅方向（図１中左右方向）の寸法が郵便箱２２の幅方向の寸法と略同一に形成されているが、郵便箱２２より大きな容積が必要なために、その奥行き方向（図２（ａ）中左右方向）の寸法は、郵便箱２２の奥行方向の寸法より大きく形成されている。
【００５０】
また、図１に示す集合住宅の玄関設備２０においては、複数の荷物箱２４の内の１つの荷物箱２４の扉部材２４ｂに捺印装置２４ｅ（図４参照）が設けられており、荷物を配達する業者が、荷物を荷物箱２４に収納する際に、この捺印装置２４ｅに伝票を差し込んで、その伝票に荷物の受領印を捺印することができるようになっている。
【００５１】
インターホン部２６は、図５に示すように、箱形状の箱体部２６ａを備え、この箱体部２６ａの前面側にインターホン装置２８が設けられている。
【００５２】
この箱体部２６ａは、図１及び図２（ａ）に示すように、その幅方向（図１中左右方向）の寸法、及び奥行き方向（図２（ａ）中左右方向）の寸法が、郵便箱２２の幅方向（図１中左右方向）の寸法、及び奥行方向（図２（ａ）中左右方向）の寸法とそれぞれ略同一に形成されると共に、その高さ方向（図１中上下方向）の寸法が、郵便箱２２の高さ４個分の高さ寸法に形成されている。
【００５３】
このような箱体部２６ａの前面側に設けられたインターホン装置２８は、図５に示すように、その装置を操作するための操作部３０と、エントランスホールと各住戸の間で会話のやり取りをするためのインターフェース部３２と、エントランスホールの扉３８（図８参照）を開くための開扉部３４を備えて構成されている。
【００５４】
操作部３０は、図５に示すように、部屋番号の入力を行う入力部３０ａと、入力された部屋番号を表示する表示部３０ｂと、入力された部屋番号に対応する住戸の入居者への呼び出しを行う呼出部３０ｃを備えている。
【００５５】
操作部３０の入力部３０ａには複数の押しボタンから構成され、０から９までの数字を入力する押しボタンや、入力した数字を削除する押しボタン等が設けられている。
【００５６】
操作部３０の表示部３０ｂにはＬＣＤ（液晶表示装置）が設けられ、入力部３０ａにより入力された数字がＬＣＤに表示されるようになっている。
【００５７】
操作部３０の呼出部３０ｃには押しボタンが設けられ、この押しボタンを押下することによって、入力部３０ａにより入力した数字、すなわち表示部３０ｂに表示されている数字の部屋番号に対応する住戸の入居者が呼び出されるようになっている。
【００５８】
インターフェース部３２は、図５に示すように、エントランスホールの訪問者の映像を撮影するカメラ３２ａと、エントランスホールの訪問者の音声を拾うマイク３２ｂ、及びエントランスホールの訪問者へ住戸の入居者の音声を伝えるスピーカ３２ｃを備えている。
【００５９】
開扉部３４は、近づけられたＩＣタグの情報を電波や電磁波を用いて非接触で読み取ることのできるリーダ部３４ａを備えている。
【００６０】
このリーダ部３４ａは、所定のＩＣタグが埋め込まれた認証トークンやカードキー等を近づけることにより、リーダ部３４ａがＩＣタグの情報を読み取って、エントランスホールに面した扉３８（図８参照）が開くようになっている。
【００６１】
これらの郵便箱２２、荷物箱２４、及びインターホン部２６は、その上下面及び左右側面がそれぞれ平坦に形成されているため、各設備を上下・左右両方向に互いに隣り合うように並べて配置することができ、互いに隣り合って対向する各設備の上下面同士、又は左右側面同士を固定することができるようになっている。
【００６２】
図１に示す集合住宅の玄関設備２０は、１５個の郵便箱２２と、４個の荷物箱２４と、１個のインターホン部２６と、１個のチラシ入れ３６を備えている。そして、４個の荷物箱２４は、１個の荷物箱（大）２５Ａと、１個の荷物箱（中）２５Ｂと、２個の荷物箱（小）２５Ｃから構成されている。
【００６３】
図１に示すように、集合住宅の玄関設備２０には、郵便箱２２、荷物箱２４、及びインターホン部２６以外に、右側の列の３個の郵便箱２２の下側にチラシ入れ３６が配置されている。
【００６４】
このチラシ入れ３６は、荷物箱（大）２５Ａと略同一の大きさの箱状に形成されており、入居者が自身の郵便箱２２に投函された郵便物等のうち、不要なチラシ等を入れることができるようになっている。
【００６５】
上述したように、荷物箱２４、インターホン部２６、及びチラシ入れ３６の幅方向の寸法は、郵便箱２２の幅寸法と略同一に形成されているため、図１に示すように、これらの設備を上下方向に並べて配置した場合に、各設備の左右それぞれの側面が、同一の平面上に位置するようになっている。
【００６６】
このため、これらの設備を左右方向に並べて配置した場合に、上下方向に並べて配置された各設備の左右の側面が隣り合って対向するため、図１に示すように、これらの設備を左右方向に隙間なく並べて配置することができるようになっている。
【００６７】
図１に示す集合住宅の玄関設備２０においては、これらの設備が図中左右方向に３列に並んで配置されており、左側の列には上から７個の郵便箱２２と、１個の荷物箱（小）２５Ｃと、１個の荷物箱（中）２５Ｂが並んで配置され、中央の列には上から５個の郵便箱２２と、１個の荷物箱（小）２５Ｃと、１個の荷物箱（大）２５Ａが並んで配置され、右側の列には上から１個のインターホン部２６と、３個の郵便箱２２と、１個のチラシ入れ３６が並んで配置されている。
【００６８】
これにより、集合住宅の玄関設備２０においては、各設備（郵便箱２２、荷物箱２４、インターホン部２６、チラシ入れ３６）が、お互いに近い位置に設けられているため、これらの設備の間を、エントランスホール内で頻繁に移動することなく利用することができる。
【００６９】
例えば、図１に示す集合住宅の玄関設備２０においては、集合住宅の入居者が帰宅した際に、郵便箱２２から郵便物等を取り出し、荷物箱２４に預けられた荷物を受け取り、インターホン部２６を操作してエントランスホールのドアを開ける、という一連の動作を集合住宅の玄関設備２０の前から移動せずに行うことができ、各設備の利便性を向上させることができる。
【００７０】
ここで、図１に示す集合住宅の玄関設備２０は、集合住宅の玄関設備２０の１つの構成例を示したものに過ぎず、集合住宅の規模や住戸数によって、集合住宅の玄関設備２０を構成する郵便箱２２や荷物箱２４の個数や種類を増減させることは当然可能であり、それに応じてこれらの設備の並べ方も当然変更可能である。
【００７１】
また、上述したように、荷物箱２４とインターホン部２６のそれぞれの高さ方向の寸法は、郵便箱２２の高さ寸法の整数倍の寸法に形成されているため、図１に示すように、これらの設備を上下左右方向に並べて配置した場合に、上下方向に並べて配置した各設備の高さ寸法を、左右方向に隣り合う他の列の高さ寸法に一致させることが、容易にできるようになっている。
【００７２】
このため、集合住宅の玄関設備２０は、図１に示すように、各設備（郵便箱２２、荷物箱２４、インターホン部２６、チラシ入れ３６）の個数や種類が増減したとしても、上下方向に並べて配置した各設備の高さ寸法が、左右方向に隣り合う列の高さ寸法と一致するように並べて配置することができる。
【００７３】
そして、図１に示す集合住宅の玄関設備２０においては、郵便箱２２、荷物箱２４、及びインターホン部２６以外の、例えばチラシ入れ３６のような様々な設備を配置することによって、玄関設備の利便性をさらに向上させることができるようになっている。
【００７４】
また、本実施の形態に係る集合住宅の玄関設備２０においては、図２に示すように、集合住宅の玄関設備２０を構成する各設備（郵便箱２２、荷物箱２４、インターホン部２６、チラシ入れ３６）のそれぞれの前面が、同一の平面上に位置するよう配置されているため、集合住宅の玄関設備２０が設置されたエントランスホールにデザイン的な統一性を与え、エントランスホール内の景観が整然とした印象を与えることができる。
【００７５】
このような集合住宅の玄関設備２０は、例えば、図８に示すように、集合住宅のエントランスホールに面した扉３８の近くの壁面４０に埋め込まれて、エントランスホールの壁面４０と一体となるように設置される。
【００７６】
集合住宅のエントランスホールに面した扉３８の近くの壁面４０には、図７（ｂ）に示すように水平断面がコの字状（図７（ｂ）参照）に凹んでいて、図７（ａ）に示すように鉛直断面が逆さＬ字状に凹んだように形成された壁面凹部４２が、図６に示すように床面から所定の高さ位置まで形成されている。
【００７７】
そして、図６及び図７（ａ）に示すように、この壁面凹部４２の床面には、所定の高さ寸法を有する枠状の高さ部材４４が設置され、この高さ部材４４の上に、集合住宅の玄関設備２０が設置されている。
【００７８】
集合住宅の玄関設備２０の背面側には、図７（ａ）に示すように、取付部材４８が設けられ、この取付部材４８を介して集合住宅の玄関設備２０の背面と壁面凹部４２の奥側の壁面が接合されている。
【００７９】
取付部材４８は、複数のＬ型鋼材（アングル材）を組み合わせて形成されており、集合住宅の玄関設備２０を構成する郵便箱２２及びインターホン部２６の背面と壁面凹部４２の奥側の壁面との間の空間（図２（ａ）参照）を補強するように配置されている。
【００８０】
また、集合住宅の玄関設備２０の上方には、図６及び図７（ａ）に示すように、所定の厚さを有する略四角形の板状の前面板部材４６が、集合住宅の玄関設備２０の上方の壁面凹部４２の開口部分を塞ぐように取り付けられている。
【００８１】
そして、図７（ａ）及び（ｂ）に示すように、これら集合住宅の玄関設備２０、高さ部材４４、前面板部材４６のそれぞれの前面が、エントランスホールの壁面４０と略同一の平面上に位置するように配置されている。
【００８２】
このような玄関設備２０を集合住宅に設置することによって、その玄関設備２０の前面がエントランスホールの壁面４０と一体化したような景観になるため、エントランスホールにデザイン的な統一性を与え、その景観が整然とした印象を与えることができる。
【００８３】
また、各設備（郵便箱２２、荷物箱２４、インターホン部２６、チラシ入れ３６）がエントランスホールの一カ所にまとまって配置されるため、エントランスホールが狭い空間の集合住宅であっても玄関設備２０をその集合住宅に設置することができ、玄関設備の省スペース化を図ることができる。
【００８４】
また、図７（ａ）に示すように、集合住宅の玄関設備２０の背面に設置された取付部材４８を構成する複数のＬ型鋼材の間や、集合住宅の玄関設備２０の上方に設置された前面板部材４６の背面側には広い空間が確保されるため、この空間をインターホン装置２８の電気的な配線用の空間として利用できるようになっている。
【００８５】
このように、本実施の形態に係る集合住宅の玄関設備２２を用いることによって、利便性を向上させると共に、省スペース化を図り、エントランスホール内の景観が整然とした印象を与えることができる。
【００８６】
なお、本考案は、前記実施の形態のみに限定されるものではなく、本考案の目的を達成することができる範囲内であれば、種々の変更が可能である。
【００８７】
例えば、前記実施の形態に係る集合住宅の玄関設備２０においては、１つの箱部材２２ａに１つの扉部材２２ｂが設けられた郵便箱２２を１つのユニットとして、これを並べて配置していたが、あらかじめ上記郵便箱２２が上下に複数個並べて配置されたような郵便箱を１つのユニットとして形成して、これを並べて配置するようにしてもよい。
【００８８】
また、前記実施の形態に係る集合住宅の玄関設備２０においては、インターホン装置２８の操作部３０には、押しボタン方式の入力部３０ａや呼出部３０ｃが使用されていたが、他の方式であってもよく、例えば、タッチパネル方式や、キー操作方式を用いて、入力や呼出の各操作をタッチ操作やキー操作により行うようにしてもよい。
【００８９】
また、前記実施の形態に係る集合住宅の玄関設備２０においては、インターホン装置２８の開扉部３４には、ＩＣタグの情報を電波や電磁波を用いて非接触で読み取ることのできるリーダ部３４ａが使用されていたが、他の方式であってもよく、例えば、入居者が所有する住戸の鍵を開扉部３４に設けられた鍵穴に差し込むことによって、エントランスホールに面した扉３８が開くようになっていてもよい。
【００９０】
また、前記実施の形態に係る集合住宅の玄関設備２０においては、荷物箱２４はダイヤル錠２４ｃにより施錠及び開錠がされるようになっていたが、他の方法で施錠及び開錠されるようになっていてもよく、例えば、荷物箱２４とインターホン装置２８を電気的な配線により接続し、インターホン部２８の操作部３０を操作することによって、荷物箱２４の施錠及び開錠を行うようにしてもよい。
【００９１】
さらに、前記実施の形態に係る集合住宅の玄関設備２０においては、チラシ入れ３６が設けられていたが、各設備の配置を変更したり、前面板部材４６や取付部材４８のような部材を用いたりして、エントランスホール内の景観が整然とした印象が損なわれないようにすれば、上記チラシ入れ３６が設けられていなくてもよい。
【符号の説明】
【００９２】
２  郵便受け
４  郵便箱
４ａ  箱体部
４ｂ  扉部材
４ｃ  投函部
６  宅配ボックス
８  荷物箱
８ａ  箱体部
８ｂ  扉部材
８ｃ  ダイヤル錠
９  高さ部材
１０  インターホン装置
１２  操作部
１２ａ  入力部
１２ｂ  表示部
１２ｃ  呼出部
１４  インターフェース部
１４ａ  カメラ
１４ｂ  マイク
１４ｃ  スピーカ
１６  開扉部
１６ａ  リーダ部
１８  扉
２０  集合住宅の玄関装置
２２  郵便箱
２２ａ  箱体部
２２ｂ  扉部材
２２ｃ  投函部
２２ｄ  表示部
２２ｅ  ロック部
２４  荷物箱
２４ａ  箱体部
２４ｂ  扉部材
２４ｃ  ダイヤル錠
２４ｄ  確認窓
２４ｅ  捺印装置
２５Ａ  荷物箱（大）
２５Ｂ  荷物箱（中）
２５Ｃ  荷物箱（小）
２６  インターホン部
２６ａ  箱体部
２８  インターホン装置
３０  操作部
３０ａ  入力部
３０ｂ  表示部
３０ｃ  呼出部
３２  インターフェース部
３２ａ  カメラ
３２ｂ  マイク
３２ｃ  スピーカ
３４  開扉部
３４ａ  リーダ部
３６  チラシ入れ
３８  扉
４０  壁面
４２  壁面凹部
４４  高さ部材
４６  前面板部材
４８  取付部材
【図１】
0003216323.tif 000003
【図２】
0003216323.tif 000004
【図３】
0003216323.tif 000005
【図４】
0003216323.tif 000006
【図５】
0003216323.tif 000007
【図６】
0003216323.tif 000008
【図７】
0003216323.tif 000009
【図８】
0003216323.tif 000010
【図９】
0003216323.tif 000011
【図１０】
0003216323.tif 000012
【図１１】
0003216323.tif 000013
【図１２】
0003216323.tif 000014
【図１３】
0003216323.tif 000015
【図１４】
0003216323.tif 000016